(57)【要約】【課題】棟の施工効率の向上を図る。【解決手段】複数の棟カバー１５，１６を、屋根１１の棟部分に当該棟の延び方向のほぼ全体にわたって取り付け、棟カバー１５，１６の上面１５ａ，１６ａに笠木受け具２０を取り付け、棟の両側の斜面となる部分の上部に設けられる複数枚の瓦２４を、これの上部を棟カバー１５，１６の上面１５ａ，１６ａに被せることによって屋根に設ける。このとき、棟の両側の瓦２４を配置する部分の構造は、棟の延び方向の全体にわたって取り付けた棟カバー１５，１６であり、同じ条件であるから、瓦２４を配置する部分の高さを一定にできる。また、棟の延び方向の全体にわたって同じ構造となるから、部分的に構造が異なる場合に比べて、施工を効率よく行うことができる。【選択図】図１
2008138444.tif 000002
【特許請求の範囲】
【請求項１】
上面が山形状をなし、山形状をなす屋根の棟部分に当該棟の延び方向のほぼ全体にわたって取り付けられた複数の棟カバーと、
下部に取付片を有するとともに上部に笠木受け部を有し、前記取付片を前記棟カバーの上面に取り付けることにより前記棟の延び方向に間欠的に設けられた複数の笠木受け具と、
これら複数の笠木受け具の前記笠木受け部に受けられた状態で前記棟の延び方向に掛け渡された長尺な笠木と、
それぞれの上部を前記棟カバーの上面に被せるようにして前記屋根において前記棟の両側の斜面となる部分の上部に設けられた複数枚の瓦と、
それぞれ前記笠木を跨ぐように配置されて前記笠木に固定され、前記棟に沿って設けられた複数枚の冠瓦とを具備したことを特徴とする棟の構造。
【請求項２】
複数の棟カバーのうち少なくとも１個の棟カバーは、屋根に形成された換気口を通して屋内と屋外との間で通気させるための換気用の通気路を形成するものであることを特徴とする請求項１記載の棟の構造。
【請求項３】
換気口よりも小さな孔を多数有するシート状の換気口シートを備え、この換気口シートを、前記換気口を覆うように取り付けたことを特徴とする請求項２記載の棟の構造。
【請求項４】
棟カバーは合成樹脂製であることを特徴とする請求項１〜３のいずれかに記載の棟の構造。
【請求項５】
冠瓦の内側に、笠木を覆うようにカバーを設けたことを特徴とする請求項１〜４のいずれかに記載の棟の構造。
【請求項６】
上面が山形状をなす複数の棟カバーを、山形状をなす屋根の棟部分に当該棟の延び方向のほぼ全体にわたって取り付ける工程と、
下部に取付片を有するとともに上部に笠木受け部を有する複数の笠木受け具を、前記取付片を前記棟カバーの上面に取り付けることにより前記棟の延び方向に間欠的に設ける工程と、
長尺な笠木を前記複数の笠木受け具の前記笠木受け部に受けさせた状態で前記棟の延び方向に掛け渡す工程と、
複数枚の瓦を、それぞれの上部を前記棟カバーの上面に被せるようにして前記屋根において前記棟の両側の斜面となる部分の上部に設ける工程と、
複数枚の冠瓦を、前記笠木を跨ぐように配置して前記笠木に固定し、前記棟に沿って設ける工程とを行うことを特徴とする棟の施工方法。
【発明の詳細な説明】
【技術分野】
【０００１】
本発明は、屋根における棟の構造および棟の施工方法に関する。
【背景技術】
【０００２】
従来の棟の施工方法の一例を図１０〜図１５を参照して説明する。この例は、屋根に換気口を形成する例である。
（１）まず、図１０に示すように、山形状をなす屋根１の棟となる頂上１ａ部分に換気口２を形成する。
（２）次に、図１１に示すように、頂上１ａ部分に、換気口２を覆うように換気口体３を取り付ける。換気口体３には、図１５（ａ）に示すように、換気口２を通して屋内と屋外とを連通させるための換気用の通気路４（矢印参照）が形成されている。また、屋根１の上面には、後述する瓦を配置するための横桟５を取り付ける。このとき、頂上１ａ付近には横桟は取り付けず、後で取り付けることになる。
【０００３】
（３）次に、図１２に示すように、屋根１の頂上１ａ部分に、複数個の笠木受け具６を棟の延び方向に間欠的に取り付ける。各笠木受け具６は、図１５（ｂ）に示すように、下部にハの字形の取付片６ａを有するとともに、上部に上部が開口したコの字形の笠木受け部６ｂを有していて、取付片６ａを屋根１にビスによって固定する。
（４）次に、図１３に示すように、屋根１の頂上１ａ付近に横桟５ａを取り付ける。このとき、横桟５ａは、換気口体３のある部分は避けて、換気口体３がない部分に取り付ける。次に、長尺な笠木７を、各笠木受け具６の笠木受け部６ｂに受けさせた状態で棟の延び方向に掛け渡し、各笠木受け部６ｂにビス７ａで固定する。笠木７は、棟の延び方向のほぼ全体にわたるように配置する。
【０００４】
（５）次に、図１４に示すように、屋根１の上面に多数枚の瓦８を配置する。このとき、頂上１ａの両側の瓦８ａ（棟の両側の斜面となる部分に配置される瓦）のうち、最上部の横桟５ａに対応する部分の瓦８ａは、その上部を横桟５ａに引っ掛けてビス８ｂ（図１５（ｂ）参照）で固定する。また、換気口体３に対応する部分の瓦８ａは、その上部で換気口体３の上面を覆うように配置して固定する。
（６）次に、同図１４に示すように、複数枚の冠瓦９を、前記笠木７を跨ぐように配置して、その笠木７にビス９ａ（図１５（ａ），（ｂ）参照）で固定する。このとき、対応する瓦８ａと冠瓦９との間に、弾力性を有するシーラー９ｂを介在させる。冠瓦９は、棟の延び方向に沿って設ける。以上により、棟の施工が完了する。
【発明の開示】
【発明が解決しようとする課題】
【０００５】
上記した従来の施工方法においては、次のような問題点があった。屋根１の頂上１ａ付近には、換気口体３を取り付けた部分と、換気口体３を取り付けず横桟５ａを取り付けた部分とがある。この場合、棟の両側に瓦８ａを配置するために、換気口体３を取り付けた部分と、換気口体３を取り付けず横桟５ａを取り付けた部分とで、高さを合わせる必要があるが、部材が違うためにその高さを合わせ難く、施工がし難い。また、屋根１の頂上１ａ付近において、換気口体３を取り付ける部分と、横桟５ａを取り付ける部分とがあり、これらは異なる構造であるため、施工が面倒となる。
【０００６】
本発明は上記した事情に鑑みてなされたものであり、その目的は、施工効率の向上を図ることができる棟の構造および棟の施工方法を提供することにある。
【課題を解決するための手段】
【０００７】
上記の目的を達成するために、請求項１の棟の構造は、上面が山形状をなし、山形状をなす屋根の棟部分に当該棟の延び方向のほぼ全体にわたって取り付けられた複数の棟カバーと、下部に取付片を有するとともに上部に笠木受け部を有し、前記取付片を前記棟カバーの上面に取り付けることにより前記棟の延び方向に間欠的に設けられた複数の笠木受け具と、これら複数の笠木受け具の前記笠木受け部に受けられた状態で前記棟の延び方向に掛け渡された長尺な笠木と、それぞれの上部を前記棟カバーの上面に被せるようにして前記屋根において前記棟の両側の斜面となる部分の上部に設けられた複数枚の瓦と、それぞれ前記笠木を跨ぐように配置されて前記笠木に固定され、前記棟に沿って設けられた複数枚の冠瓦とを具備したことを特徴とする。
【０００８】
また、同様な目的を達成するために、請求項６の棟の施工方法は、上面が山形状をなす複数の棟カバーを、山形状をなす屋根の棟部分に当該棟の延び方向のほぼ全体にわたって取り付ける工程と、下部に取付片を有するとともに上部に笠木受け部を有する複数の笠木受け具を、前記取付片を前記棟カバーの上面に取り付けることにより前記棟の延び方向に間欠的に設ける工程と、長尺な笠木を前記複数の笠木受け具の前記笠木受け部に受けさせた状態で前記棟の延び方向に掛け渡す工程と、複数枚の瓦を、それぞれの上部を前記棟カバーの上面に被せるようにして前記屋根において前記棟の両側の斜面となる部分の上部に設ける工程と、複数枚の冠瓦を、前記笠木を跨ぐように配置して前記笠木に固定し、前記棟に沿って設ける工程とを行うことを特徴とする。
【発明の効果】
【０００９】
請求項１の棟の構造によれば、複数の棟カバーを、屋根の棟部分に当該棟の延び方向のほぼ全体にわたって取り付け、棟の両側の斜面となる部分の上部に設けられる複数枚の瓦を、これの上部を前記棟カバーの上面に被せることによって屋根に設ける。このとき、棟の両側の瓦を配置する部分の構造は、棟の延び方向の全体にわたって取り付けた棟カバーであり、同じ条件であるから、瓦を配置する部分の高さを一定にできる。よって、高さを合わせるというような作業は必要がない。また、棟の延び方向の全体にわたって同じ構造となるから、部分的に構造が異なる場合に比べて、施工を効率よく行うことができる。この結果、棟の施工効率の向上を図ることができる。
【００１０】
また、請求項６の棟の施工方法においても、請求項１の場合と同様な効果を得ることができる。
【発明を実施するための最良の形態】
【００１１】
以下本発明の一実施形態について図１〜図９を参照して説明する。この実施形態においても、屋根に換気口を形成する例である。
（１）まず、図２に示すように、山形状をなす屋根１１の棟となる頂上１１ａ部分に換気口１２を形成する。
（２）次に、図３に示すように、頂上１１ａ部分に、換気口１２を覆うように換気口シート１３を取り付ける。この換気口シート１３は、フッ素樹脂製のシートで、換気口１２より小さな孔１３ａが多数個形成されている。また、屋根１１の上面には、後述する瓦を配置するための横桟１４を取り付ける。このとき、頂上１１ａ付近には横桟は取り付けない。なお、屋根１１の上面には、横桟１４を取り付ける前に、全体にわたって防水シートを取り付けておくが、図面では省略している。
【００１２】
（３）次に、図４に示すように、屋根１１の頂上１１ａ付近に、それぞれ合成樹脂製の第１の棟カバー１５と第２の棟カバー１６を取り付ける。この場合、第１の棟カバー１５は、図９に示すように、上面１５ａが山形状をなしているとともに、左右両側面に内部と連通する円形の通気孔１５ｂが長手方向に多数個形成されていて、上記換気口１２を覆うようにしてビス１７（図１（ａ）参照）により屋根１１に固定する。この第１の棟カバー１５は、換気口１２と通気孔１５ｂを通して屋内と屋外との間で通気させるための通気路１８（図１（ａ）の矢印参照）を形成する。この第１の棟カバー１５は、本体部を合成樹脂の押出し成形により形成し、これに通気孔１５ｂを後加工で形成したものである。
【００１３】
第２の棟カバー１６は、図１（ｂ）に示すように、上面１６ａが山形状をなしているが、側面に通気孔を形成しておらず、換気口１２と対応しない部分に取り付けている。第２の棟カバー１６は、側面に通気孔を形成していない点以外は、第１の棟カバー１５と同一の形状である。
従って、屋根１１の頂上１１ａ付近において、換気口１２に対応する部分に第１の棟カバー１５を取り付けるとともに、換気口１２を形成した以外の部分には第２の棟カバー１６を取り付けることにより、棟の延び方向のほぼ全体にわたってこれら第１及び第２の棟カバー１５，１６を設ける。なお、各棟カバー１５，１６の繋ぎ部分には、防水テープ１９（図４参照）を貼っておく。
【００１４】
（４）次に、図５に示すように、第１及び第２の棟カバー１５，１６の上面１５ａ，１６ａに笠木受け具２０を取り付ける。この笠木受け具２０は、金属板のプレス成形品で、図１（ａ），（ｂ）に示すように、下部にハの字形の取付片２０ａを有するとともに、上部に上部が開口したコの字形の笠木受け部２０ｂを有していて、取付片２０ａを屋根１１にビスによって固定する。この笠木受け具２０は、棟の延び方向に間欠的に複数個設ける。
（５）次に、図６に示すように、長尺な笠木２１を、各笠木受け具２０の笠木受け部２０ｂに受けさせた状態で棟の延び方向に掛け渡し、各笠木受け部２０ｂにビス２２（図１（ａ），（ｂ）参照）で固定する。笠木２１は、棟の延び方向のほぼ全体にわたるように配置する。
【００１５】
（６）次に、図７に示すように、屋根１１の斜面となる上面に多数枚の瓦２３，２４を配置する。各斜面の瓦２３，２４のうち最上部の瓦２４以外の瓦２３は、それぞれの上部を、対応する横桟１４に引っ掛けるようにして固定する。そして、各斜面の瓦２３，２４のうち最上部の瓦２４は、図１（ａ），（ｂ）に示すように、それぞれの上部を、対応する第１，第２の棟カバー１５，１６の上面１５ａ，１６ａに被せるようにして載せた状態でビス２５により固定することによって、棟の両側の斜面となる部分の上部に取り付ける。この後、図１（ａ），（ｂ）に示すように、笠木２１と、隣り合った瓦２４，２４間の隙間を上方から覆うようにカバー３０を被せる。このカバー３０も、棟の延び方向のほぼ全体にわたって設ける。
【００１６】
（７）次に、図８に示すように、複数枚の冠瓦２６を、前記笠木２１およびシート３０を跨ぐように配置して、その笠木２１にビス２７（図１（ａ），（ｂ）参照）で固定する。このとき、対応する瓦２４（カバー３０）と冠瓦２６との間に、弾力性を有するシーラー２８を介在させる。シーラー２８は、合成樹脂性で、緩衝機能と隙間を埋める機能がある。冠瓦２６は、棟の延び方向に沿って設ける。以上により、棟の施工が完了する。
【００１７】
上記した構成において、第１の棟カバー１５を設けた部分においては、換気口１２と第１の棟カバー１５の通気孔１５ｂとを通して屋内と屋外との間で通気が可能であるので、換気が可能となる。
【００１８】
上記した実施形態においては、次のような効果を得ることができる。
まず、第１及び第２の複数の棟カバー１５，１６を、屋根１１の棟部分に当該棟の延び方向のほぼ全体にわたって取り付け、棟の両側の斜面となる部分の上部に設けられる複数枚の瓦２４を、これの上部を前記棟カバー１５，１６の上面１５ａ，１６ａに被せることによって屋根１１に設ける。このとき、棟の両側の瓦２４を配置する部分の構造は、棟の延び方向の全体にわたって外形形状が同じ棟カバー１５，１６であり、同じ条件であるから、瓦２４を配置する部分の高さを一定にできる。よって、高さを合わせるというような作業は必要がなく、高さを合わせることが必要であった従来に比べて作業効率が良い。また、棟の延び方向の全体にわたって同じ構造となるから、部分的に構造が異なる場合に比べて、施工を効率よく行うことができる。この結果、棟の施工効率の向上を図ることができる。
【００１９】
第１及び第２の棟カバー１５，１６のうち、換気口１２に対応する第１の棟カバー１５は、屋根１１に形成された換気口１２と当該棟カバー１５に形成された通気孔１５ｂを通して屋内と屋外との間で通気させるための換気用の通気路１８を形成するものであるので、換気を良好に行うことができる。この場合、換気口１２に対応する第１の棟カバー１５と、換気口１２とは関係のない第２の棟カバー１６とは、通気孔１５ａの有無以外は同一の形状であるから、これら第１及び第２の棟カバー１５，１６の製造効率が良い。しかも、これら第１及び第２の棟カバー１５，１６は、通気孔１５ａ以外の部分は合成樹脂の押出し成形により形成することができるから、製造が容易で、一層安価にできる。さらに、第１及び第２の棟カバー１５，１６は、合成樹脂製であるので、腐り難く、耐久性を期待できる。
【００２０】
換気口１２部分には、この換気口１２より小さな孔１３ａを多数有する換気口シート１３を取り付けているので、屋外の虫などが換気口１２から屋内側に入ることを極力防止することができる。
また、冠瓦２６の内側に、笠木２１と、隣り合った瓦２４，２４間の隙間を覆うようにカバー３０を設けたことにより、雨水などの浸入を一層良好に防止できる。
【００２１】
本発明は、上記した実施形態にのみ限定されるものではなく、次のように変形または拡張できる。
本発明は屋根１１に換気口１２を形成しない構造にも適用できる。屋根１１に換気口１２を形成しない場合には、棟カバーとしては通気孔１５ｂのない第２の棟カバー１６のみを使えばよい。
【図面の簡単な説明】
【００２２】
【図１】本発明の一実施形態を示すもので、（ａ）は図８の状態において換気口に対応する部分での縦断面図、（ｂ）は同図８の状態において換気口に対応しない部分での縦断面図
【図２】屋根に換気口を形成した状態の斜視図
【図３】屋根に換気口シートおよび横桟を取り付けた状態の斜視図
【図４】屋根に棟カバーを取り付けた状態の斜視図
【図５】棟カバーに笠木受け具を取り付けた状態の斜視図
【図６】笠木受け具に笠木を取り付けた状態の斜視図
【図７】屋根に瓦を配置した状態の斜視図
【図８】棟に冠瓦を取り付けた状態の斜視図
【図９】第１の棟カバーの斜視図
【図１０】従来例を示す図２相当図
【図１１】屋根に換気口体および横桟を取り付けた状態の斜視図
【図１２】屋根に笠木受け具を取り付けた状態の斜視図
【図１３】屋根の棟部分に横桟を取り付けるとともに、笠木受け具に笠木を取り付けた状態の斜視図
【図１４】屋根に瓦を配置するとともに、棟に冠瓦を取り付けた状態の斜視図
【図１５】（ａ）は図１４の状態において換気口に対応する部分での縦断面図、（ｂ）は同図１４の状態において換気口に対応しない部分での縦断面図
【符号の説明】
【００２３】
図面中、１１は屋根、１２は換気口、１３は換気口シート、１３ａは孔、１５は第１の棟カバー（棟カバー）、１５ａは上面、１５ｂは通気孔、１６は第２の棟カバー（棟カバー）、１６ａは上面、１８は通気路、２０は笠木受け具、２０ａは取付片、２０ｂは笠木受け具、２１は笠木、２３，２４は瓦、２６は冠瓦、３０はカバーを示す。
【図１】
2008138444.tif 000003
【図２】
2008138444.tif 000004
【図３】
2008138444.tif 000005
【図４】
2008138444.tif 000006
【図５】
2008138444.tif 000007
【図６】
2008138444.tif 000008
【図７】
2008138444.tif 000009
【図８】
2008138444.tif 000010
【図９】
2008138444.tif 000011
【図１０】
2008138444.tif 000012
【図１１】
2008138444.tif 000013
【図１２】
2008138444.tif 000014
【図１３】
2008138444.tif 000015
【図１４】
2008138444.tif 000016
【図１５】
2008138444.tif 000017